(57)【要約】【課題】構造を複雑化することなく、薄型化を図り得る携帯端末機器を提供する。【解決手段】キースイッチが実装されているキー基板７と、システム動作を制御するＣＰＵ、メモリ及びＲＦ回路等が実装されているシステム無線基板８とを別基板で構成して電気的に接続し、システム無線基板８を表示パネル３の裏面側に設置すると共に、キー基板７の裏面側にバッテリー４を設置し、表示パネル３とキー基板７とをその表面が略平坦となるよう配設し、システム無線基板８とバッテリー４とをその裏面が略平坦となるよう配設する。【選択図】        図１
2005045489.tif 000002
【特許請求の範囲】
【請求項１】
キースイッチが実装されているキー基板と、システム動作を制御するＣＰＵ、メモリ及びＲＦ回路等が実装されているシステム無線基板とを別基板で構成して電気的に接続し、システム無線基板を表示パネルの裏面側に設置すると共に、キー基板の裏面側にバッテリーを設置し、表示パネルとキー基板とをその表面が略平坦となるよう配設し、システム無線基板とバッテリーとをその裏面が略平坦となるよう配設したことを特徴とする携帯端末機器。
【請求項２】
キー基板をフレキシブルプリント基板で構成した請求項１記載の携帯端末機器。
【請求項３】
キースイッチが実装されているキー基板と、システム動作を制御するＣＰＵ、メモリ及びＲＦ回路等が実装されているシステム無線基板とを別基板で構成し、システム無線基板を表示パネルの裏面側に配置し、キー基板の端縁部表面側に表示パネルとの接続部を形成すると共に、キー基板の端縁部裏面側にシステム無線基板との接続部を形成し、表示パネルとキー基板とをその表面が略平坦となるよう配設し、システム無線基板とバッテリーとをその裏面が略平坦となるよう配設したことを特徴とする携帯端末機器。
【発明の詳細な説明】
【０００１】
【発明の属する技術分野】
本発明は、携帯端末機器に関するものである。
【０００２】
【従来の技術】
従来、携帯電話、ＰＨＳ（簡易型携帯電話）等の小型の携帯端末機器においては、図８及び図９に示される如く、一枚の回路基板１に、システム動作を制御するＣＰＵ、メモリ及びＲＦ（Ｒａｄｉｏ  Ｆｒｅｑｕｅｎｃｙ）回路等が実装されると共に、キースイッチ２が実装され、更に、前記回路基板１の表面側上部に、液晶ディスプレイ（ＬＣＤ）等の表示パネル３が設置され、且つ前記回路基板１の裏面側下部にバッテリー４が設置されて、一つのユニットとして構成されており、このユニットが図示していない筐体で被覆されるようになっている。
【０００３】
尚、図８及び図９中、５は回路基板１の表面に設けられた表示パネル３用のコネクタ、６は表示パネル３から引き出されたケーブルであり、該ケーブル６が前記コネクタ５に接続されるようになっている。
【０００４】
一方、基板を、基板とケースとの間に設けられるバネと、基板とケースとの間に螺着されるネジとの協動によりケースの厚み方向の所定の位置に保持するようにし、ネジの螺着位置を調整することにより、基板のケース内におけるケースの厚み方向の位置を調整するようにしたものとしては、例えば、特許文献１がある。
【０００５】
【特許文献１】
特開２００３−１４３２８３号公報
【０００６】
【発明が解決しようとする課題】
しかしながら、図８及び図９に示されるような携帯端末機器では、表示パネル３が回路基板１の表面側上部に出っ張り、且つバッテリー４が回路基板１の裏面側下部に出っ張ってしまい、その厚みＴが厚くなってしまうため、デザイン上の要求等から筐体の外形を側面視で直線的な形状（ストレート形状）にしようとすると、薄型化が困難になるという構造上の問題を有していた。
【０００７】
又、特許文献１に開示された携帯端末装置では、構造が非常に複雑化してしまい、実現不可能であると言わざるを得なかった。
【０００８】
本発明は、斯かる実情に鑑み、構造を複雑化することなく、薄型化を図り得る携帯端末機器を提供しようとするものである。
【０００９】
【課題を解決するための手段】
本発明は、キースイッチが実装されているキー基板と、システム動作を制御するＣＰＵ、メモリ及びＲＦ回路等が実装されているシステム無線基板とを別基板で構成して電気的に接続し、システム無線基板を表示パネルの裏面側に設置すると共に、キー基板の裏面側にバッテリーを設置し、表示パネルとキー基板とをその表面が略平坦となるよう配設し、システム無線基板とバッテリーとをその裏面が略平坦となるよう配設したことを特徴とする携帯端末機器にかかるものである。
【００１０】
上記手段によれば、以下のような作用が得られる。
【００１１】
前述の如く構成すると、表示パネルが回路基板の表面側上部に出っ張らず、且つバッテリーが回路基板の裏面側下部に出っ張らなくなり、その厚みが厚くなってしまうことが避けられるため、デザイン上の要求等から筐体の外形を側面視で直線的な形状（ストレート形状）にしても、薄型化が可能となる。又、キー基板の裏面側にバッテリーを設置しているため、キースイッチを押した際、キー基板の撓みが抑えられ、強度面でも有効となる。更に又、キー基板に実装されるキースイッチの表面側がバッテリーで覆われないため、筐体に配列されるキーと前記キースイッチとの電気的接続線をバッテリーを迂回するように配設したり、バッテリーを着脱するために筐体のキーが配列される箇所を開閉自在としたりしなくて済み、構造が複雑化してしまう心配もない。
【００１２】
前記携帯端末機器においては、キー基板をフレキシブルプリント基板で構成することができ、このようにすると、全体の軽量化につながることとなる。
【００１３】
又、本発明は、キースイッチが実装されているキー基板と、システム動作を制御するＣＰＵ、メモリ及びＲＦ回路等が実装されているシステム無線基板とを別基板で構成し、システム無線基板を表示パネルの裏面側に配置し、キー基板の端縁部表面側に表示パネルとの接続部を形成すると共に、キー基板の端縁部裏面側にシステム無線基板との接続部を形成し、表示パネルとキー基板とをその表面が略平坦となるよう配設し、システム無線基板とバッテリーとをその裏面が略平坦となるよう配設したことを特徴とする携帯端末機器にかかるものである。
【００１４】
このようにすると、従来に比べて薄型化が可能になることに加え、更に、キー基板の端縁部表面側に表示パネルとの接続部を形成すると共に、キー基板の端縁部裏面側にシステム無線基板との接続部を形成したことにより、全体の幅をスリムにすることが可能となる。
【００１５】
【発明の実施の形態】
以下、本発明の実施の形態を図示例と共に説明する。
【００１６】
図１〜図３は本発明を実施する形態の第一の例であって、図中、図８及び図９と同一の符号を付した部分は同一物を表わしており、基本的な構成は図８及び図９に示す従来のものと同様であるが、本図示例の特徴とするところは、図１〜図３に示す如く、キースイッチ２が実装されているキー基板７と、システム動作を制御するＣＰＵ、メモリ及びＲＦ回路等が実装されているシステム無線基板８とを別基板で構成して電気的に接続し、システム無線基板８を表示パネル３の裏面側に設置すると共に、キー基板７の裏面側にバッテリー４を設置し、表示パネル３とキー基板７とをその表面が略平坦となるよう配設し、システム無線基板８とバッテリー４とをその裏面が略平坦となるよう配設した点にある。
【００１７】
本図示例の場合、前記システム無線基板８から引き出された可撓性を有するケーブル９を、キー基板７の裏面に設けられたシステム無線基板８用のコネクタ１０に接続すると共に、表示パネル３から引き出された可撓性を有するケーブル６を、キー基板７の裏面に設けられた表示パネル３用のコネクタ５’に接続するようになっている。
【００１８】
次に、上記図示例の作用を説明する。
【００１９】
前述の如く構成すると、表示パネル３が回路基板１の表面側上部に出っ張らず、且つバッテリー４が回路基板１の裏面側下部に出っ張らなくなり、その厚みｔが厚くなってしまうことが避けられるため、デザイン上の要求等から筐体の外形を側面視で直線的な形状（ストレート形状）にしても、薄型化が可能となる。
【００２０】
又、キー基板７の裏面側にバッテリー４を設置しているため、キースイッチ２を押した際、キー基板７の撓みが抑えられ、強度面でも有効となる。
【００２１】
更に又、キー基板７に実装されるキースイッチ２の表面側がバッテリー４で覆われないため、筐体に配列されるキーと前記キースイッチ２との電気的接続線をバッテリー４を迂回するように配設したり、バッテリー４を着脱するために筐体のキーが配列される箇所を開閉自在としたりしなくて済み、構造が複雑化してしまう心配もない。
【００２２】
こうして、構造を複雑化することなく、薄型化を図り得る。
【００２３】
図４及び図５は本発明を実施する形態の第二の例であって、図中、図１〜図３と同一の符号を付した部分は同一物を表わしており、キー基板７をフレキシブルプリント基板で構成したものである。
【００２４】
前記フレキシブルプリント基板で構成したキー基板７は、システム無線基板８並びに表示パネル３から引き出されるように形成され、該システム無線基板８並びに表示パネル３と一体となっている。
【００２５】
前述の如くキー基板７をフレキシブルプリント基板で構成すると、構造を複雑化することなく、厚みｔを抑えて薄型化を図れることに加え、全体の軽量化につながることとなる。
【００２６】
尚、キー基板７をフレキシブルプリント基板で構成すると、キースイッチ２を押した際、キー基板７の撓みが通常の基板より大きくなることが懸念されるが、キー基板７の撓みは、その裏面側に設置されているバッテリー４によって確実に抑えられる。
【００２７】
図６及び図７は本発明を実施する形態の第三の例であって、図中、図１〜図３と同一の符号を付した部分は同一物を表わしており、キースイッチ２が実装されているキー基板７と、システム動作を制御するＣＰＵ、メモリ及びＲＦ回路等が実装されているシステム無線基板８とを別基板で構成し、システム無線基板８を表示パネル３の裏面側に配置し、キー基板７の端縁部表面側に表示パネル３との接続部としてのコネクタ５を形成すると共に、キー基板７の端縁部裏面側にシステム無線基板８との接続部としてのコネクタ１０を形成し、表示パネル３とキー基板７とをその表面が略平坦となるよう配設し、システム無線基板８とバッテリー４とをその裏面が略平坦となるよう配設したものである。
【００２８】
このようにすると、従来に比べ厚みｔを抑えて薄型化が可能になることに加え、更に、キー基板７の端縁部表面側に表示パネル３との接続部としてのコネクタ５を形成すると共に、キー基板７の端縁部裏面側にシステム無線基板８との接続部としてのコネクタ１０を形成したことにより、全体の幅をスリムにすることが可能となる。
【００２９】
尚、本発明の携帯端末機器は、上述の図示例にのみ限定されるものではなく、折畳式の携帯端末機器にも適用可能なこと等、その他、本発明の要旨を逸脱しない範囲内において種々変更を加え得ることは勿論である。
【００３０】
【発明の効果】
以上、説明したように本発明は、キースイッチが実装されているキー基板と、システム動作を制御するＣＰＵ、メモリ及びＲＦ回路等が実装されているシステム無線基板とを別基板で構成して電気的に接続し、システム無線基板を表示パネルの裏面側に設置すると共に、キー基板の裏面側にバッテリーを設置し、表示パネルとキー基板とをその表面が略平坦となるよう配設し、システム無線基板とバッテリーとをその裏面が略平坦となるよう配設したので、構造を複雑化することなく、薄型化を図り得るという優れた効果を奏し得る。
【図面の簡単な説明】
【図１】本発明を実施する形態の第一の例の側面図である。
【図２】本発明を実施する形態の第一の例の正面図である。
【図３】本発明を実施する形態の第一の例におけるキー基板と表示パネルとシステム無線基板とを単体毎に示す分解正面図である。
【図４】本発明を実施する形態の第二の例の側面図である。
【図５】本発明を実施する形態の第二の例の正面図である。
【図６】本発明を実施する形態の第三の例の側面図である。
【図７】本発明を実施する形態の第三の例の正面図である。
【図８】従来例の側面図である。
【図９】従来例の正面図である。
【符号の説明】
２        キースイッチ
３        表示パネル
４        バッテリー
５        コネクタ（接続部）
６        ケーブル
７        キー基板
８        システム無線基板
９        ケーブル
１０        コネクタ（接続部）
【図１】
2005045489.tif 000003
【図２】
2005045489.tif 000004
【図３】
2005045489.tif 000005
【図４】
2005045489.tif 000006
【図５】
2005045489.tif 000007
【図６】
2005045489.tif 000008
【図７】
2005045489.tif 000009
【図８】
2005045489.tif 000010
【図９】
2005045489.tif 000011